(57)【特許請求の範囲】
【請求項１】
複数の紙幣を受け付ける受付部と、
前記受付部で受け付けられた複数の紙幣を１枚ずつ取り込む取込部と、
前記取込部により取り込まれた紙幣の種類を識別する識別部と、
紙幣を集積する複数の集積部と、
前記識別部により識別された紙幣を前記複数の集積部のいずれかへ搬送する搬送部と、
前記複数の集積部の各々について、前記識別部による識別結果を利用して集積紙幣の種類を決定する自動決定モードの指示を受け付ける指示受付部と、
前記指示受付部が受け付けた指示及び前記識別部の識別結果に基づいて紙幣の搬送先を決定し、前記搬送部を制御する制御部と、を備え、
前記自動決定モードは、１取引分の紙幣の処理が終了する前であっても前記識別部の識別結果により集積紙幣の種類を割り当て可能な動的決定モードを含み、前記動的決定モードが設定された集積部には、他の集積部に割り当てられた集積紙幣の種類とは異なり且つ前記識別部により最先に識別された種類が集積紙幣の種類として割り当てられ、
前記制御部は、前記動的決定モードが設定されている集積部から、前記割り当てられた種類の集積紙幣が全て抜き取られると、前記受付部の紙幣の有無にかかわらず、割り当てられた紙幣の種類をクリアし、他の集積部に割り当てられていない集積紙幣の種類のうち、前記集積紙幣の抜き取り後、前記識別部により最先に識別された種類を、前記集積紙幣が抜き取られた集積部に集積する紙幣の種類として新たに割り当てることを特徴とする紙幣処理装置。
【請求項２】
前記自動決定モードは、前記識別部により最初に識別された種類を、当該集積部に集積する紙幣の種類と決定する第１自動決定モードを含むことを特徴とする請求項１に記載の紙幣処理装置。
【請求項３】
前記自動決定モードは、前記識別部により２番目に識別された種類を、当該集積部に集積する紙幣の種類と決定する第２自動決定モードを含むことを特徴とする請求項２に記載の紙幣処理装置。
【請求項４】
前記指示受付部は、前記複数の集積部の各々について、集積紙幣の種類の指示を受け付けることを特徴とする請求項１に記載の紙幣処理装置。
【請求項５】
前記指示受付部は、前記複数の集積部の各々について、集積紙幣の種類の指示を受け付け、
前記複数の集積部のうち、第１集積部に対して集積紙幣の種類が指示され、第２集積部に対して前記第１自動決定モードが指示されている場合、前記制御部は、前記第１集積部に対して指示されている集積紙幣の種類とは異なるもので、かつ前記識別部により最先に識別された種類の紙幣が前記第２集積部に搬送されるように前記搬送部を制御することを特徴とする請求項２に記載の紙幣処理装置。
【請求項６】
紙幣の種類は、通貨、金種、方向、正損、刷種の少なくともいずれか１つを含むことを特徴とする請求項１乃至５のいずれかに記載の紙幣処理装置。
【請求項７】
紙幣の種類は、通貨、金種、方向、正損、刷種から選択される複数の種類を含み、
前記指示受付部は、複数の紙幣の種類について互いに独立して前記自動決定モードの指示を受け付けることを特徴とする請求項１乃至６のいずれかに記載の紙幣処理装置。
【請求項８】
リジェクト紙幣と、前記複数の集積部に集積されない種類の紙幣とを集積するリジェクト部をさらに備えることを特徴とする請求項１乃至７のいずれかに記載の紙幣処理装置。
【請求項９】
各集積部の集積紙幣の種類を表示する表示部をさらに備えることを特徴とする請求項１乃至８のいずれかに記載の紙幣処理装置。
【請求項１０】
前記表示部は、各集積部に対応して複数設けられていることを特徴とする請求項９に記載の紙幣処理装置。
【発明の詳細な説明】
【技術分野】
【０００１】
本発明は、紙幣を分類して集積する紙幣処理装置に関する。
【背景技術】
【０００２】
一般的な紙幣処理装置は、複数の集積部を備え、紙幣を金種毎や通貨毎に分類して、各集積部に集積する。例えば、特許文献１の紙幣処理装置は、４つの集積部を備え、複数の分類パターンを記憶し、それらの中から分類パターンが１つ指定されると、４つの集積部に紙幣を金種毎に分類集積したり、特定の金種の紙幣を方向別に分類集積したり、最初に識別された金種の紙幣を４つの集積部に集積したりしていた。
【０００３】
しかし、紙幣処理装置に投入される紙幣の通貨・金種や、投入された紙幣の分類方法は様々であり、従来のように予め記憶されている分類パターンのいずれかを指定する方法では、各集積部に集積する紙幣の設定自由度が低く、ユーザのニーズに対応できなかった。特に、紙幣処理装置の集積部の数が多い程、各集積部についての設定自由度が求められる。
【先行技術文献】
【特許文献】
【０００４】
【特許文献１】国際公開第２００８／０９６４３０号公報
【発明の概要】
【発明が解決しようとする課題】
【０００５】
本発明の目的は、各集積部の設定自由度を高め、様々な分類パターンで紙幣を分類集積できる紙幣処理装置を提供することである。
【課題を解決するための手段】
【０００６】
本発明の一態様による紙幣処理装置は、複数の紙幣を１枚ずつ取り込む取込部と、前記取込部により取り込まれた紙幣の種類を識別する識別部と、紙幣を集積する複数の集積部と、前記識別部により識別された紙幣を前記複数の集積部のいずれかへ搬送する搬送部と、前記複数の集積部の各々について、前記識別部による識別結果を利用して集積紙幣の種類を決定する自動決定モードの指示を受け付ける指示受付部と、前記指示受付部が受け付けた指示及び前記識別部の識別結果に基づいて紙幣の搬送先を決定し、前記搬送部を制御する制御部と、を備えるものである。
【０００７】
本発明の一態様による紙幣処理装置においては、集積紙幣の自動決定モードは、前記識別部により最初に識別された種類を、当該集積部に集積する紙幣の種類と決定する第１自動決定モードを含むことが好ましい。
【０００８】
本発明の一態様による紙幣処理装置においては、集積紙幣の自動決定モードは、前記識別部により２番目に識別された種類を、当該集積部に集積する紙幣の種類と決定する第２自動決定モードを含むことが好ましい。
【０００９】
本発明の一態様による紙幣処理装置においては、前記指示受付部は、前記複数の集積部の各々について、集積紙幣の種類の指示を受け付けることが好ましい。
【００１０】
本発明の一態様による紙幣処理装置においては、前記指示受付部は、前記複数の集積部の各々について、集積紙幣の種類の指示を受け付け、前記複数の集積部のうち、第１集積部に対して集積紙幣の種類が指示され、第２集積部に対して前記第１自動決定モードが指示されている場合、前記制御部は、前記第１集積部に対して指示されている集積紙幣の種類とは異なるもので、かつ前記識別部により最先に識別された種類の紙幣が前記第２集積部に搬送されるように前記搬送部を制御することが好ましい。
【００１１】
本発明の一態様による紙幣処理装置においては、集積紙幣の自動決定モードは、他の集積部に割り当てられている集積紙幣の種類とは異なるもので、かつ前記識別部により最先に識別された種類を、当該集積部に集積する紙幣の種類と決定する動的決定モードを含み、
【００１２】
前記制御部は、前記動的決定モードが指示されている集積部から全ての集積紙幣が抜き取られた場合、他の集積部に割り当てられていない集積紙幣の種類のうち、前記集積紙幣の抜き取り後、前記識別部により最先に識別された種類を、当該集積部に集積する紙幣の種類と新たに決定することが好ましい。
【００１３】
本発明の一態様による紙幣処理装置においては、紙幣の種類は、通貨、金種、方向、正損、刷種の少なくともいずれか１つを含むことが好ましい。
【００１４】
本発明の一態様による紙幣処理装置においては、紙幣の種類は、通貨、金種、方向、正損、刷種から選択される複数の種類を含み、前記指示受付部は、複数の紙幣の種類について互いに独立して前記自動決定モードの指示を受け付けることが好ましい。
【００１５】
本発明の一態様による紙幣処理装置においては、リジェクト紙幣と、前記複数の集積部に集積されない種類の紙幣とを集積するリジェクト部をさらに備えることが好ましい。
【００１６】
本発明の一態様による紙幣処理装置においては、各集積部の集積紙幣の種類を表示する表示部をさらに備えることが好ましい。
【００１７】
本発明の一態様による紙幣処理装置においては、前記表示部は、各集積部に対応して複数設けられていることが好ましい。
【発明の効果】
【００１８】
本発明によれば、各集積部の設定自由度を高め、様々な分類パターンで紙幣を分類集積できる。
【図面の簡単な説明】
【００１９】
【図１】本実施形態に係る紙幣処理装置の斜視図である。
【図２】本実施形態に係る紙幣処理装置の正面断面図である。
【図３】本実施形態に係る紙幣処理装置の構成例を示すブロック図である。
【図４】本実施形態に係る紙幣処理装置の指示受付部の一例を示す図である。
【図５】通貨の割当てモードの設定例を示す図である。
【図６】金種の割当てモードの設定例を示す図である。
【図７】割当てモードの設定例を示す図である。
【図８】集積紙幣種類の決定の一例を示す図である。
【図９】集積紙幣種類の決定の一例を示す図である。
【図１０】集積紙幣種類の決定の一例を示す図である。
【図１１】集積紙幣種類の決定の一例を示す図である。
【図１２】集積紙幣種類の決定の一例を示す図である。
【図１３】集積紙幣種類の決定の一例を示す図である。
【図１４】割当てモードの設定例を示す図である。
【図１５】集積紙幣種類の決定の一例を示す図である。
【図１６】集積紙幣種類の決定の一例を示す図である。
【図１７】集積紙幣種類の決定の一例を示す図である。
【図１８】集積紙幣種類の決定の一例を示す図である。
【図１９】割当てモードの設定例を示す図である。
【図２０】集積紙幣種類の決定の一例を示す図である。
【図２１】集積紙幣種類の決定の一例を示す図である。
【図２２】集積紙幣種類の決定の一例を示す図である。
【図２３】集積紙幣種類の決定の一例を示す図である。
【図２４】集積紙幣種類の決定の一例を示す図である。
【図２５】集積紙幣種類の決定の一例を示す図である。
【図２６】集積紙幣種類の決定の一例を示す図である。
【図２７】集積紙幣種類の決定の一例を示す図である。
【図２８】集積紙幣種類の決定の一例を示す図である。
【発明を実施するための形態】
【００２０】
以下、本発明の実施の形態を図面に基づいて説明する。
【００２１】
図１は、本実施形態に係る紙幣処理装置の斜視図であり、図２は紙幣処理装置の正面断面図である。また、図３は、紙幣処理装置の構成例を示すブロック図である。
【００２２】
図１及び図２に示すように、紙幣処理装置６０は、筐体８と、筐体８に設けられ、紙幣を束状態で受け付けるホッパ（受付部）１と、ホッパ１で受け付けられた束状態の紙幣を筐体８内に１枚ずつ取り込む取込部２と、取込部２によって取り込まれた紙幣を搬送する搬送部３と、搬送部３に設けられ、当該搬送部３によって搬送される紙幣を識別する識別部５と、を備えている。
【００２３】
このうち、取込部２は、図２に示すように、紙幣を繰り出すフィードローラ２ａと、フィードローラ２ａに対向して設けられたゲートローラ（逆転ローラ）２ｂと、ホッパ１に収容された紙幣をフィードローラに向かって蹴り出すキッカローラ２ｃ、２ｄと、を有している。また、搬送部３は、紙幣を案内する搬送路３ａと、この紙幣に駆動力を付与する搬送ローラ（図示せず）とを有している。
【００２４】
また、図２に示すように、取込部２と識別部５との間には、取込部２によって取り込まれた紙幣の搬送状態を検知する搬送状態検出センサ２１、２２が設けられている。また、識別部５は、搬送路３ａを案内されている紙幣の画像を読み取る画像読取センサ５ａを有している。識別部５は、画像読取センサ５ａによって読み取られた画像データに基づいて、紙幣の通貨、金種、方向、正損、刷種（新旧）、真偽などを識別する。
【００２５】
また、識別部５の下流側であって搬送部３の端部には、集積部６５ａ〜６５ｈのいずれへも集積されないと判断された紙幣が集積されるリジェクト部９が連結されている。このリジェクト部９は、下方側に配置された第一リジェクト部９ａと、上方側に配置された第二リジェクト部９ｂとを有している。
【００２６】
例えば、第一リジェクト部９ａには、識別異常や搬送異常であると判断された紙幣が集積される。また、第二リジェクト部９ｂには、識別部５の真偽判定によって偽券である判断された紙幣が集積される。
【００２７】
ここで、搬送異常とは、搬送部３によって紙幣を搬送する際の異常を意味している。このような搬送異常としては、例えば、紙幣が斜めに搬送されている場合（斜行）や、複数の紙幣が重なって搬送されている場合（重送）や、複数の紙幣が所定の間隔を隔てないで搬送されている場合（連鎖）などが挙げられる。
【００２８】
また、図２に示すように、搬送路３ａには、紙幣の案内されるリジェクト部９（第一リジェクト部９ａおよび第二リジェクト部９ｂ）を切り換える分岐爪４７，４８が設けられている。
【００２９】
また、分岐爪４７と第一リジェクト部９ａとの間には、分岐爪４７によって案内された紙幣が正常に第一リジェクト部９ａへと案内されているかを検知するセンサ２７が設けられている。同様に、分岐爪４８と第二リジェクト部９ｂとの間には、分岐爪４８によって案内された紙幣が正常に第二リジェクト部９ｂへと案内されているかを検知するセンサ２８が設けられている。
【００３０】
また、図１および図２に示すように、識別部５の下流側であって搬送部３の端部には、搬送部３によって搬送された紙幣を集積する集積部６５ａ〜６５ｈが連結されている。
【００３１】
また、図２に示すように、分岐爪４８と集積部６５ａとの間には、リジェクト部９に案内されなかった紙幣が、集積部６５ａ〜６５ｈに向かって正常に案内されているかを検知するためのセンサ２６が設けられている。
【００３２】
また、搬送路３ａには、紙幣が正常に搬送されているかを検知するセンサ３１ａ〜３１ｇや、紙幣の案内される集積部を切り換える分岐爪４１ａ〜４１ｇが設けられている。また、これら分岐爪４１ａ〜４１ｇの下流側には、分岐爪４１ａ〜４１ｇによって分岐された紙幣が正常に集積部６５ａ〜６５ｈに案内されているかを検知するカウントセンサ３２ａ〜３２ｈが設けられている。
【００３３】
また、集積部６５ａ〜６５ｈ内には、それぞれ、集積部６５ａ〜６５ｈ内の紙幣の収納状況を検知する残留検知センサ３６ａ〜３６ｈが設けられている。
【００３４】
また、図１に示すように、筐体８には、集積部６５ａ〜６５ｈに集積されている紙幣の種類や枚数を表示する表示部１１ａ〜１１ｈが設けられている。表示部１１ａ〜１１ｈに表示される紙幣の種類は、例えば、通貨、金種、方向、正損、刷種などである。方向は、表前、表後、裏前、裏後の４方向ある。具体的には、肖像が上で且つ肖像の頭の方から取り込まれる方向が表前、肖像が上で且つ頭と反対の方から取り込まれる方向が表後、肖像が下で且つ肖像の頭の方から取り込まれる方向が裏前、肖像が下で且つ頭と反対の方から取り込まれる方向が裏後となる。
【００３５】
表示部１１ａ〜１１ｈは、ＬＣＤ等のディスプレイでもよいし、印刷された文字と発光素子との組み合わせでもよい。
【００３６】
また、筐体８には、集積部６５ａ〜６５ｈに集積する紙幣の割当てモードの指示を受け付ける指示受付部１０が設けられている。指示受付部１０は例えばタッチパネルからなる。
【００３７】
集積部６５ａ〜６５ｈに集積する紙幣の割当てモードについて説明する。割当てモードとは、集積紙幣の割当て方法であり、指定モード、自動決定モード、混合モード、指定外モードがある。本実施形態に係る紙幣処理装置６０には、自動決定モードとして、さらに第１〜第３自動決定モードと第１〜第３動的決定モードが設けられ、以下の表１のように、割当てモードとして、指定モード、第１〜第３自動決定モード、第１〜第３動的決定モード、混合モード、指定外モードがある。第１〜第３自動決定モードと第１〜第３動的決定モードは、いずれも自動決定モードの一種であるが、集積紙幣の種類の割り当て手順や、割り当てられた種類をクリアするタイミングの違いなどにより使い分けられるモードである。集積部６５ａ〜６５ｈには、集積紙幣の通貨、金種、方向、正損、刷種について、指定モード、第１〜第３自動決定モード、第１〜第３動的決定モード、混合モード、指定外モードのいずれかを設定することができる。
【表１】
0005933292.tif 000002
【００３８】
指定モードとは、集積紙幣の種類を指定するモードであり、優先度が最も高い。指定モードでは、集積紙幣の通貨や金種などを予め指定（特定）する。例えば、集積紙幣の通貨に指定モードを設定する場合は、ドル、円、ユーロなどのうちから１つが指定される。また、金種に指定モードを設定する場合には、その前に、通貨に指定モードを設定して、どの通貨を集積するか指定する必要がある。通貨によって発行されている金種が異なるためである。従って、例えば、金種に指定モードを設定して１００ドルを指定する場合は、その前に、通貨に指定モードを設定してドルを指定することになる。
【００３９】
この指定モードは、最も優先度が高く、指定モードで指定された種類の紙幣は、他の集積部に優先して、指定モードが設定された集積部に搬送される。例えば、集積部６５ａに対して、通貨に指定モードが設定されてドルが指定された場合、紙幣処理装置６０に取り込まれたドル紙幣は集積部６５ｂ〜６５ｈに優先して、集積部６５ａに搬送され、集積される。
【００４０】
指定モードの設定は、１取引分の紙幣の処理が終了した後も有効であり、ユーザにより異なる設定がなされるまで保持される。ここで、１取引分の紙幣とは、集計処理単位とする一纏まりの紙幣をいい、ホッパ１が一度に受け付けた紙幣束でもよいし、複数回に分けて受け付けた紙幣束の合計でもよい。ホッパ１で一度に受け付けられる紙幣枚数には限界があり、集計処理する紙幣の枚数が多い場合は、複数回に分けてホッパ１に投入されることになる。ユーザが、計数結果を承認する承認ボタンや処理の終了を指示する終了ボタン（共に図示せず）を押すことで、１取引分の紙幣の投入が終わったことが紙幣処理装置６０に入力される。
【００４１】
次に、紙幣処理中に、識別部５の識別結果により集積紙幣種類を割り当てる自動決定モードの一種である第１自動決定モード、第２自動決定モード、第３自動決定モードについて説明する。第１自動決定モードは、１取引分の紙幣の処理において、識別部５が１番目に識別した種類を、集積紙幣種類とするものである。例えば、集積部６５ａに対して、通貨に第１自動決定モードが設定され、識別部５が１番目に識別した紙幣がユーロ紙幣であった場合、集積部６５ａには集積紙幣通貨としてユーロが割り当てられ、以後、ユーロ紙幣と識別された紙幣は集積部６５ａに搬送され、集積される。
【００４２】
また、集積部６５ａに対して、通貨に指定モードが設定されてドルが指定され、金種に第１自動決定モードが設定されている場合、識別部５が１番目に識別したドル紙幣の金種が、集積部６５ａに割り当てられる。例えば識別部５が１番目に識別したドル紙幣が１００ドル紙幣であった場合、集積部６５ａには集積紙幣金種として１００ドルが割り当てられる。
【００４３】
第２自動決定モードは、１取引分の紙幣の処理において、識別部５が２番目に識別した種類を、集積紙幣種類とするものである。このとき、いずれの集積部にも指定モードで設定されていない紙幣の種類であって、識別部５が１番目に識別した種類は、第１自動決定モードが設定された集積部に既に割り当て済みであることが好ましく、他の集積部に第１自動決定モードが設定済みであることを、第２自動決定モードを設定する前提条件とすることが好ましい。例えば、集積部６５ａに対して通貨に第１自動決定モードが設定され、集積部６５ｂに対して通貨に第２自動決定モードが設定され、識別部５が１番目に識別した紙幣がユーロ紙幣、２番目に識別した紙幣がドル紙幣であった場合、集積部６５ａには集積紙幣通貨としてユーロが割り当てられ、集積部６５ｂには集積紙幣通貨としてドルが割り当てられる。
【００４４】
第３自動決定モードは、１取引分の紙幣の処理において、識別部５が３番目に識別した種類を、集積紙幣種類とするものである。さらに、第４自動決定モード、第５自動決定モード等が設定できるようにしてもよい。
【００４５】
表１からわかるように、第１〜３自動決定モードは指定モードの次に優先度が高い。従って、指定モードで指定されている種類がある場合は、これを除いた種類から、第１〜３自動決定モードで集積紙幣種類が決定される。例えば、集積部６５ａに対して通貨に指定モードが設定されてドルが指定され、集積部６５ｂに対して通貨に第１自動決定モードが設定され、識別部５が最初に識別した紙幣がドル紙幣であった場合、ドル紙幣は集積部６５ａに搬送される。そして、ドル紙幣以外の通貨のうち、識別部５が１番目に識別した通貨が、集積部６５ｂの集積紙幣通貨として決定される。
【００４６】
第１〜３自動決定モードは複数の集積部に対して設定することができる。例えば、集積部６５ａ及び６５ｂに対して、通貨に第１自動決定モードが設定され、識別部５が１番目に識別した紙幣がユーロ紙幣であった場合、集積部６５ａ又は６５ｂの集積紙幣通貨としてユーロが割り当てられる。
【００４７】
集積部６５ａ〜６５ｈに対して、第１〜３自動決定モードにより割り当てられた集積紙幣種類は、１取引分の紙幣の処理が終了した際にクリアされる。
【００４８】
次に、動的決定モードについて説明する。動的決定モードは、紙幣処理中に、識別部５の識別結果により集積紙幣種類を割り当てる自動決定モードの一種であり、第１〜３自動決定モードと異なり、何番目の紙幣であっても割り当て可能である。識別した紙幣の種別が、どの集積部にも割り当てられておらず、割当てが決定していない集積部のうち、動的決定モードが設定されている集積部がある場合、その集積部に、識別した種別が割り当てられる。
【００４９】
例えば、集積部６５ｈに対して通貨に動的決定モードが設定され、集積部６５ａ〜６５ｇの集積紙幣通貨にドル及びユーロが割り当てられている状態で識別部５がルーブル紙幣を識別した場合、集積部６５ｈの集積紙幣通貨にルーブルが割り当てられる。
【００５０】
動的決定モードには、第１動的決定モード、第２動的決定モード、第３動的決定モードがある。
【００５１】
第１動的決定モードでは、割り当てられた集積紙幣種類が、１取引分の紙幣の処理が終了するまで保持され、終了時にクリアされる。
【００５２】
第２動的決定モードでは、割り当てられた集積紙幣種類が、１取引分の紙幣の処理が終了した時、または第２動的決定モードが設定された集積部から全ての紙幣が抜き取られた時にクリアされる。
【００５３】
第３動的決定モードは、複数の集積部に対して動的決定モードを設定することができる。上述の方法により集積紙幣種類が決定すると、これら複数の集積部のすべてに割り当てられる。例えば、集積部６５ｆ〜６５ｈに対して通貨に第３動的決定モードが設定され、集積部６５ａ〜６５ｅの集積紙幣通貨にドルが割り当てられている状態で、識別部５がユーロ紙幣を識別した場合、集積部６５ｆ〜６５ｈの集積紙幣通貨にユーロが割り当てられる。これら複数の集積部に割り当てられた集積紙幣種類は、１取引分の紙幣の処理が終了した時、またはこれら複数の集積部から全ての紙幣が抜き取られた時にクリアされる。
【００５４】
動的決定モードは、第１〜第３自動決定モードよりも優先度が低い。各モードは、紙幣の種類ごとに独立に設定できるが、集積紙幣の通貨に動的決定モードを設定する場合は、金種についても動的決定モードが設定する制限を設けても良い。どの通貨を集積するか決定しないと、金種も決定しないためである。
【００５５】
次に、混合モードについて説明する。混合モードは、種別を問わず紙幣を集積するモードである。混合モードは動的決定モードよりも優先度が低い。従って、混合モードが設定された集積部には、指定モード、自動決定モード、又は動的決定モードにより集積紙幣種類が決定した集積部には集積されない種類の紙幣が混合集積される。
【００５６】
次に、指定外モードについて説明する。指定外モードは優先度が最も低く、指定外モードが設定された集積部は、他の集積部に集積されない紙幣を集積する。
【００５７】
図３に示すように、紙幣処理装置６０は、上述した指定モード、自動決定モード（第１〜３自動決定モードや動的決定モード）、混合モード、指定外モードに応じた集積紙幣種類決定アルゴリズムをコンピュータに指示するプログラムを記憶したメモリ８０を備えている。メモリ８０は、紙幣処理装置６０を制御する各種プログラム及びデータを格納するＲＯＭ（Read Only Memory）又はＨＤＤ（Hard Disk Drive）、及び、プログラムのロード領域やプログラム実行時における作業領域となるＲＡＭ（Random Access Memory）等を含む。
【００５８】
また、紙幣処理装置６０の制御部７０は、メモリ８０内のプログラムを実行して紙幣処理装置６０の全体を制御するように構成された演算処理装置である。制御部７０は、指示受付部１０を介して、集積部６５ａ〜６５ｈに集積する紙幣の割当てモードの指示を受け付けると、識別部５による識別結果を用いて集積部６５ａ〜６５ｈに集積する紙幣種類を決定し、紙幣の搬送先を制御する。
【００５９】
また、制御部７０は、集積部６５ａ〜６５ｈの集積紙幣種類を、表示部１１ａ〜１１ｈに表示させる。また、制御部７０は、１取引分の紙幣の処理が終了すると、集計結果（計数結果）を出力する。集計結果は、筐体８に設けられた表示部１２（図１参照）に表示されたり、外部コンピュータへ出力されたりする。
【００６０】
図４は、指示受付部１０の一例を示している。指示受付部１０はタッチパネルで構成され、集積部６５ａ〜６５ｈのそれぞれについて、通貨、金種、刷種、方向、正損に割当てモードを設定できるようになっている。
【００６１】
例えば、図４の通貨キー１０１を押圧すると、図５に示すようなドロップダウンリストが表示される。このドロップダウンリストの中から、所望の割当てモードを選択する。指定モードであれば、ドルやユーロといった特定の通貨を選択する。
【００６２】
また、図４の金種キー１０２を押圧すると、図６に示すようなドロップダウンリストが表示される。選択可能なすべての金種をドロップダウンリストに表示できるが、指定モードで通貨が設定済みの場合は、その通貨の金種のみを表示するようにしても良い。図６は、通貨に指定モードでドルが設定されている場合の、金種選択のドロップダウンリストを示している。このドロップダウンリストの中から、所望の割当てモードを選択する。指定モードであれば、１００ドル、５０ドル、２０ドルといった特定の金種を選択する。
【００６３】
集積部６５ａ〜６５ｈのそれぞれに対して、このような割当てモードの選択を通貨、金種、刷種、方向、正損について行うことで、例えば、図７のような割当てモードの設定が行われる。
【００６４】
図７に示す例では、集積部６５ａに対して、通貨に指定モードが設定され、ドルが指定されている。金種には指定モードが設定され、１００ドルが指定されている。刷種には指定モードが設定され、新券が指定されている。方向については、第１自動決定モードが設定されている。正損については指定モードが設定され、正券が指定されている。
【００６５】
集積部６５ｂに対して、通貨に指定モードが設定され、ドルが指定されている。金種には第１自動決定モードが設定されている。刷種には指定モードが設定され、新券が指定されている。方向については、第１自動決定モードが設定されている。正損については指定モードが設定され、正券が指定されている。
【００６６】
集積部６５ｃに対して、集積部６５ｂと同様に、通貨及び正損に指定モードが設定されてドル及び正券が指定され、金種及び方向には第１自動決定モードが設定されている。刷種には指定モードが設定され、旧券が指定されている。
【００６７】
集積部６５ｄに対して、通貨に指定モードが設定され、ユーロが指定されている。金種には第１自動決定モードが設定されている。刷種には指定モードが設定され、新券が指定されている。方向については、第１自動決定モードが設定されている。正損については指定モードが設定され、正券が指定されている。
【００６８】
集積部６５ｅに対して、通貨及び金種に第２動的決定モードが設定されている。刷種には指定モードが設定され、新券が指定されている。方向については、第１自動決定モードが設定されている。正損については指定モードが設定され、正券が指定されている。
【００６９】
集積部６５ｆ及び６５ｇに対して、通貨、金種、刷種、方向に混合モードが設定されている。正損については指定モードが設定され、正券が指定されている。
【００７０】
集積部６５ｈに対して、通貨、金種、刷種、方向に混合モードが設定されている。正損については指定モードが設定され、損券が指定されている。
【００７１】
次に、図７に示すような割当てモードの設定が行われた場合の、紙幣処理の進行に伴う集積紙幣種類の決定の流れの一例を説明する。
【００７２】
紙幣処理の開始前は、集積部６５ａ〜６５ｈの集積紙幣種類の割当ては図８のようになっている。図８の空欄部分は、この時点で決定していないものである。
【００７３】
識別部５が最初に識別した紙幣が２０ドル紙幣の新券かつ方向が表前かつ正券であった場合、集積部６５ａ〜６５ｈの集積紙幣種類の割当ては図９のようになる。まず、新券かつ方向が表前かつ正券の２０ドル紙幣を指定している集積部はない。次に、優先度の高い自動決定モードに設定された集積部で、このような２０ドル紙幣を集積できる集積部はないか探す。集積部６５ｂの金種を２０ドル、方向を表前に設定することで、当該２０ドル紙幣を集積可能であることが判るので、集積部６５ｂの金種を２０ドル、方向を表前に設定し、紙幣を集積部６５ｂに集積する。このとき、集積部６５ｂ及び６５ｃには、通貨にドルが指定され、金種に第１自動決定モードが設定されている。そのため、集積部６５ｂ及び６５ｃの集積紙幣金種に２０ドルが割り当てられる。集積部６５ｄも第１自動決定モードが設定されているが、通貨がユーロに設定済みなので金種は２０ドルには設定されない。また、方向に第１自動決定モードが設定されている集積部６５ａ〜６５ｅに対して、集積紙幣方向に表前が割り当てられる。
【００７４】
次に、識別部５が識別した紙幣が１００ドル紙幣の新券、正券、かつ方向が表前であった場合、この紙幣は集積部６５ａに集積される。
【００７５】
続いて識別部５が識別した紙幣が１０００円紙幣の新券、正券、かつ方向が表前であった場合、集積部６５ａ〜６５ｈの集積紙幣種類の割当ては図１０のようになる。集積紙幣通貨に円が割り当てられている集積部は無いが、集積部６５ｅの通貨を円、金種を１０００円に設定することで、当該１０００円紙幣を集積部６５ｅに集積可能となるため、集積部６５ｅに１０００円紙幣が割り当てられる。
【００７６】
続いて識別部５が識別した紙幣が２００ユーロ紙幣の新券、正券、かつ方向が表前であった場合、集積部６５ａ〜６５ｈの集積紙幣種類の割当ては図１１のようになる。このような２００ユーロ紙幣が割り当てられた集積部は無いが、集積部６５ｄは指定モードで通貨にユーロが設定され、金種に第１自動決定モードが設定されているので、集積部６５ｄの金種を２００ユーロに設定することで、当該２００ユーロ紙幣を集積部６５ｄに集積可能となる。そのため、集積部６５ｄの集積紙幣金種に２００ユーロが割り当てられる。
【００７７】
その後の処理では、新券、正券、かつ方向が表前の１００ドル紙幣が集積部６５ａに集積される。また、新券、正券、かつ方向が表前の２０ドル紙幣が集積部６５ｂに集積される。また、旧券、正券、かつ方向が表前の２０ドル紙幣が集積部６５ｃに集積される。また、新券、正券、かつ方向が表前の２００ユーロ紙幣が集積部６５ｄに集積される。また、新券、正券、かつ方向が表前の１０００円紙幣が集積部６５ｅに集積される。
【００７８】
また、集積部６５ａ〜６５ｅに集積されない紙幣のうち、正券が集積部６５ｆ又は６５ｇに集積され、損券が集積部６５ｈに集積される。また、集積部６５ａ〜６５ｅの集積枚数が上限に達すると、集積部６５ａ〜６５ｅに集積すべき紙幣の搬送先は集積部６５ｆ又は６５ｇに切り替わる。
【００７９】
その後、集積部６５ａ〜６５ｈの集積紙幣を全て抜き取ると、集積部６５ａ〜６５ｈの集積紙幣種類の割当ては図１２のようになる。集積部６５ａ〜６５ｄでは、方向や金種の割当てモードが第１自動決定モードであったため、集積紙幣を抜き取っても、集積紙幣金種や集積紙幣方向の割当ては維持される。一方、集積部６５ｅは、通貨や金種の割当てモードが第２動的決定モードであったため、集積紙幣を抜き取ると、集積紙幣通貨や集積紙幣金種の割当てはクリアされる。集積部６５ｅは、方向の割当てモードが第１自動決定モードであったため、集積紙幣方向の割当ては維持される。
【００８０】
その後、識別部５が識別した紙幣が５０００円紙幣の新券、正券、かつ方向が表前であった場合、集積部６５ａ〜６５ｈの集積紙幣種類の割当ては図１３のようになる。集積紙幣通貨に円が割り当てられている集積部は無いため、集積部６５ｅに５０００円紙幣が割り当てられる。
【００８１】
集積部６５ａ〜６５ｈに対する割当てモードの設定、及び集積紙幣種類の決定の流れの別の例を説明する。紙幣処理の開始にあたり、集積部６５ａ〜６５ｈには、図１４に示すような割当てモードを設定する。なお、説明の便宜上、刷種、方向、及び正損については全て混合モードを設定するとし、図示及び説明を省略する。また、この例では、紙幣処理を開始すると、５０ドル紙幣、２０ドル紙幣、２０ユーロ紙幣、１０００円紙幣、５０００円紙幣、２００ユーロ紙幣、１００００円紙幣が順に紙幣処理装置６０に取り込まれるものとする。
【００８２】
まず、取込部２から取り込まれ、識別部５により識別された５０ドル紙幣が、集積部６５ｂに集積される。次に、２０ドル紙幣が集積部６５ｄに集積される。
【００８３】
次に、識別部５が２０ユーロ紙幣を識別すると、通貨または金種が割当て済みの集積部６５ａ〜６５ｄには、２０ユーロ紙幣を集積可能な集積部はないので、次に優先度が高い自動設定モードが設定されている集積部の中に２０ユーロ紙幣を集積可能な集積部がないか探す。集積部６５ｅおよび集積部６５ｆが通貨について第１自動モードに設定されているので、図１５に示すように、集積部６５ｅ及び６５ｆの集積紙幣通貨にユーロが割り当てられる。また、集積部６５ｅは金種について第１自動モードが設定されているので、集積部６５ｅの集積紙幣金種に２０ユーロが割り当てられる。
【００８４】
次に、識別部５が１０００円紙幣を識別すると、通貨または金種が割当て済みの集積部６５ａ〜６５ｄには、１０００円紙幣を集積可能な集積部はないので、次に優先度が高い自動設定モードが設定されている集積部の中に１０００円紙幣を集積可能な集積部がないか探す。集積部６５ｇおよび集積部６５ｈが通貨について第２自動モードに設定されているので、図１６に示すように、集積部６５ｇ及び６５ｈの集積紙幣通貨に円が割り当てられる。また、集積部６５ｇは金種について第１自動モードが設定されているので、集積部６５ｇの集積紙幣金種に１０００円が割り当てられる。
【００８５】
次に、識別部５が５０００円紙幣を識別すると、通貨および金種が割当て済みの集積部６５ａ〜６５ｅおよび６５ｇには、５０００円紙幣を集積可能な集積部はないが、通貨が￥に決定済みで、金種が割り当てられていない集積部６５ｈに集積可能であることが判る。よって、図１７に示すように、集積部６５ｈの集積紙幣金種に５０００円が割り当てられる。
【００８６】
次に、識別部５が２００ユーロ紙幣を識別すると、同様に、図１８に示すように、集積部６５ｆの集積紙幣金種に２００ユーロが割り当てられる。
【００８７】
続いて、識別部５が１００００円紙幣を識別した場合、集積部６５ａ〜６５ｈには１００００円を集積対象として割り当てられていないため、１００００円紙幣は、リジェクト部９に搬送される。
【００８８】
集積部６５ａ〜６５ｈに対する割当てモードの設定、及び集積紙幣種類の決定の流れのさらに別の例を説明する。紙幣処理の開始にあたり、集積部６５ａ〜６５ｈには、図１９に示すような割当てモードを設定する。なお、説明の便宜上、刷種、方向、及び正損については全て混合モードを設定するとし、図示及び説明を省略する。この例では、紙幣処理を開始すると、５０ドル紙幣、２０ドル紙幣、２０ユーロ紙幣、１０００円紙幣、１ドル紙幣、５０００円紙幣、２００ユーロ紙幣、１００００円紙幣が順に紙幣処理装置６０に取り込まれるものとする。
【００８９】
まず、識別部５が５０ドル紙幣を識別すると、ドル紙幣が割当て済みの集積部はないので、次に優先度が高い自動設定モードが設定されている集積部の中にドル紙幣を割当て可能な集積部がないか探す。集積部６５ａ〜集積部６５ｃが通貨について第１自動モードに設定されており、個別の通貨は割り当てられていない状態なので、図２０に示すように、集積部６５ａ〜６５ｃの集積紙幣通貨にドルが割り当てられる。また、集積部６５ａの金種について第１自動モードが設定されており、個別の金種は割り当てられていない状態なので新たなドル紙幣の金種を設定可能である。よって、集積部６５ａの集積紙幣金種に５０ドルが割り当てられる。
【００９０】
次に、識別部５が２０ドル紙幣を識別すると、２０ドル紙幣が割当て済みの集積部はないので、通貨がドル紙幣に割り当てられた集積部の中から２０ドル紙幣を新たに割当て可能な集積部がないか探す。集積部６５ｂが通貨についてドル紙幣が割当て済みで、金種について第２自動モードに設定されているが個別の金種は割り当てられていない状態なので、図２１に示すように、集積部６５ｂの集積紙幣金種に２０ドルが割り当てられる。
【００９１】
次に、識別部５が２０ユーロ紙幣を識別すると、ユーロ紙幣が割当て済みの集積部はないので、次に優先度が高い自動設定モードが設定されている集積部の中にユーロ紙幣を割当て可能な集積部がないか探す。集積部６５ｄおよび集積部６５ｅが通貨について第２自動モードに設定されており、個別の通貨が割り当てられていない状態なのでユーロ紙幣を割当て可能である。よって、図２２に示すように、集積部６５ｄ及び６５ｅの集積紙幣通貨にユーロが割り当てられる。また、集積部６５ｄの金種について第１自動モードが設定されているが個別の金種は割り当てられていない状態なので新たなユーロ紙幣の金種を設定可能であり、集積部６５ｄの集積紙幣金種に２０ユーロが割り当てられる。
【００９２】
次に、識別部５が１０００円紙幣を識別すると、円紙幣が割当て済みの集積部はないので、次に優先度が高い自動設定モードが設定されている集積部の中に円紙幣を割当て可能な集積部がないか探す。集積部６５ｆ及び６５ｇが通貨について第３自動モードに設定されており、個別の通貨が割り当てられていない状態なので円紙幣を割当て可能である。よって、図２３に示すように、集積部６５ｆ及び６５ｇの集積紙幣通貨に円が割り当てられる。また、集積部６５ｆの金種について第１自動モードが設定されているが個別の金種は割り当てられていない状態なので新たな円紙幣の金種を設定可能であり、集積部６５ｆの集積紙幣金種に１０００円が割り当てられる。
【００９３】
次に、識別部５が１ドル紙幣を識別すると、ドル紙幣が割当て済みの集積部に１ドル紙幣を集積可能な集積部はないか探す。集積部６５ｃは通貨がドル紙幣に割当て済みであるが、金種については第３自動モードが設定されているが個別の金種は割り当てられていないので新たな金種を割当て可能である。よって、図２４に示すように、集積部６５ｃの集積紙幣金種に１ドルが割り当てられる。
【００９４】
次に、識別部５が５０００円紙幣を識別すると、円紙幣が割当て済みの集積部に５０００円紙幣を集積可能な集積部はないか探す。集積部６５ｇは通貨が円紙幣に割当て済みであるが、金種については第２動的モードが設定されているが個別の金種は割り当てられていないので新たな金種を割当て可能である。よって、図２５に示すように、集積部６５ｇの集積紙幣金種に５０００円紙幣が割り当てられる。
【００９５】
次に、識別部５が２００ユーロ紙幣を識別すると、ユーロ紙幣が割当て済みの集積部に２００ユーロ紙幣を集積可能な集積部はないか探す。集積部６５ｅは通貨がユーロ紙幣に割当て済みであるが、金種については第２自動モードが設定されているが個別の金種は割り当てられていないので新たな金種を割当て可能である。よって、図２６に示すように、集積部６５ｅの集積紙幣金種に２００ユーロが割り当てられる。
【００９６】
次に、識別部５が１００００円紙幣を識別すると、集積部６５ａ〜６５ｇはいずれも個別の通貨および個別の金種が割当て済みであり、１００００円が割り当てられた集積部はないので、１００００円を集積可能な他の集積部がないか探す。割当てモードの優先度に従い、指定モード、自動決定モード、動的決定モード、混合モード、指定外モードの順に集積部を探すと、通貨および金種について混合モードが設定されている集積部６５ｈに集積可能であることが判る。よって、１００００円紙幣は集積部６５ｈに集積される。
【００９７】
その後、集積部６５ｇから５０００円紙幣を取り除くと、集積部６５ｇは通貨について自動決定モードが設定されているので円紙幣の割当てはクリアされないが、金種については動的決定モードが設定されているので、図２７に示すように、集積部６５ｇの集積紙幣金種の割当てがクリアされる。そして、その後に識別部５が１００００円紙幣を識別すると、図２８に示すように、集積部６５ｇの集積紙幣金種に１００００円が割り当てられる。
【００９８】
このように、本実施形態によれば、集積部６５ａ〜６５ｈのそれぞれについて独立に、かつ、集積する紙幣の通貨、金種、刷種、方向、正損のそれぞれについて独立にを指定モードで指定することができる。また、集積部６５ａ〜６５ｈのそれぞれに対して独立に、かつ、識別部５による識別結果を用いて集積紙幣を決定する自動決定モードや動的決定モードを紙幣の通貨、金種、刷種、方向、正損のそれぞれについて独立に設定することができる。また、混合モードや指定外モードを、集積部６５ａ〜６５ｈのそれぞれについて独立に、かつ、集積する紙幣の通貨、金種、刷種、方向、正損のそれぞれについて独立に設定することで、集積部６５ａ〜６５ｈに複数種類の紙幣を混合集積することもできる。ただし、通貨と金種のようの関連性のあるカテゴリーについては、一方の設定により他方の設定に制限を設けるようにしても良い。
【００９９】
そのため、各集積部の設定自由度を高め、様々な分類パターンで紙幣を分類集積することができる。
【０１００】
上記実施形態において、ユーザが指示受付部１０を用いて図７、図１４、図１９に示すような割当てモードの設定を行った場合、この設定をメモリ８０に記憶できるようにしてもよい。メモリ８０に記憶されている設定を読み出すことで、複雑な割当てモードの設定を再度行うことなく、紙幣処理を速やかに開始することができる。
【０１０１】
また、上記実施形態において、各集積部の紙幣取り出し口の近傍や周縁部にカラー発光する発光部を設け、同一カテゴリーの紙幣を集積している集積部の発光部を同色発光させるようにしてもよい。例えば、集積部６５ａ〜６５ｄにドル紙幣が集積され、集積部６５ｅ及び６５ｆにユーロ紙幣が集積され、集積部６５ｇ及び６５ｈに円紙幣が集積されている場合、集積部６５ａ〜６５ｄに対応する発光部を赤色に発光させ、集積部６５ｅ及び６５ｆに対応する発光部を緑色に発光させ、集積部６５ｇ及び６５ｈに対応する発光部を青色に発光させる。このようにすることで、同一カテゴリーの紙幣がどの集積部に集積されているのか把握しやすくなり、処理効率を向上させることができる。
【０１０２】
また、ユーザが、制限された割当てモードや適当でないと判断される割当てモードを選択した場合は、その旨を報知してもよい。例えば、通貨の割当てモードの設定にあたり、第１自動決定モードが設定された集積部が無い状態で、ユーザが第２自動決定モードを選択した場合は、選択不可であることを表示したり、ビープ音を出力したりする。
【０１０３】
上記実施形態において、複数の集積部に同一の集積紙幣種類が割り当てられた場合、当該種類の紙幣をこれら複数の集積部のどこに搬送するかをランダムに決定してもよいし、取込部２や指示受付部１０に近い集積部に優先的に搬送してもよい。
【０１０４】
上記実施形態では、紙幣処理装置６０は８つの集積部を備えていたが、集積部の数は８つ未満でもよいし、８つより多くてもよい。
【０１０５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０６】
１  ホッパ
２  取込部
３  搬送部
５  識別部
８  筐体
９  リジェクト部
１０  指示受付部
６０  紙幣処理装置
６５ａ〜６５ｈ  集積部
７０  制御部
８０  メモリ
【図１】
0005933292.tif 000003
【図２】
0005933292.tif 000004
【図３】
0005933292.tif 000005
【図４】
0005933292.tif 000006
【図５】
0005933292.tif 000007
【図６】
0005933292.tif 000008
【図７】
0005933292.tif 000009
【図８】
0005933292.tif 000010
【図９】
0005933292.tif 000011
【図１０】
0005933292.tif 000012
【図１１】
0005933292.tif 000013
【図１２】
0005933292.tif 000014
【図１３】
0005933292.tif 000015
【図１４】
0005933292.tif 000016
【図１５】
0005933292.tif 000017
【図１６】
0005933292.tif 000018
【図１７】
0005933292.tif 000019
【図１８】
0005933292.tif 000020
【図１９】
0005933292.tif 000021
【図２０】
0005933292.tif 000022
【図２１】
0005933292.tif 000023
【図２２】
0005933292.tif 000024
【図２３】
0005933292.tif 000025
【図２４】
0005933292.tif 000026
【図２５】
0005933292.tif 000027
【図２６】
0005933292.tif 000028
【図２７】
0005933292.tif 000029
【図２８】
0005933292.tif 000030